(57)【要約】【課題】  局回線終端装置ＯＬＴＩＦと接続可能なＯＮＵ設置局の最大個数を減らすことなく、ＯＮＵ＃１（ａ、ｂ）の二重化構造を採用すること。【解決手段】  ＯＮＵ設置局は一対となる、ＯＮＵ＃１ａ及びＯＮＵ＃１ｂからなり、光スイッチ１、切替部（Ｉ）２、切替部（Ｏ）３とは、ＯＮＵ＃１ａ及びＯＮＵ＃１ｂの一方を現用系に、他方を予備系に設定し、監視制御部１２は、現用系の稼動状態を監視し、異常状態を検出すると現用系を予備系に、予備系を現用系に切替えて、その切替結果をＯＬＴＩＦへ通知し、ＯＬＴＩＦは、監視制御部１２による通知結果に基づいて現用系と通信接続する。【選択図】      図２
2009081662.tif 000002
【特許請求の範囲】
【請求項１】
１対Ｎ分岐光カプラを介して１台のＯＬＴＩＦ（局回線終端装置）とＮ台のＯＮＵ設置局とを通信接続するポイントｔｏマルチポイント光通信システムであって、
前記ＯＮＵ設置局は、
一対のＯＮＵ（加入者収容装置）と、
前記一対のＯＮＵの一方を現用系に、他方を予備系に設定する系統設定部と、
前記現用系の稼動状態を監視し、異常状態を検出すると現用系を予備系に、予備系を現用系に切替えて、その切替結果を前記ＯＬＴＩＦへ通知する監視制御部とを備え、
前記ＯＬＴＩＦは、
前記監視制御部による通知結果に基づいて前記一対のＯＮＵの現用系と通信接続する送受信手段を備えることを特徴とするポイントｔｏマルチポイント光通信システム。
【請求項２】
系統設定部は、
前記監視制御部の制御に基づいて系統切替えを実行する２分岐の光スイッチを有することを特徴とする請求項１に記載のポイントｔｏマルチポイント光通信システム。
【請求項３】
前記監視制御部は、
前記異常状態を検出すると、前記系統設定部を制御し、現用系を予備系に、予備系を現用系に切替えさせるスイッチ切替手段と、
スイッチ切替手段による切替結果を前記ＯＬＴＩＦへ通知する連番管理手段と、
前記一対のＯＮＵの間で通信設定情報の共有化を図る同期化手段とを有すること特徴とする請求項１に記載のポイントｔｏマルチポイント光通信システム。
【請求項４】
前記一対のＯＮＵのそれぞれは、
スイッチ切替手段による切替結果を記憶する第一の情報記憶部を更に備えることを特徴とする請求項３に記載のポイントｔｏマルチポイント光通信システム。
【請求項５】
前記一対のＯＮＵのそれぞれは、
前記一対のＯＮＵ相互間で共有する通信設定情報を記憶するＯＮＵ設定保持部を更に備えることを特徴とする請求項３に記載のポイントｔｏマルチポイント光通信システム。
【請求項６】
前記ＯＬＴＩＦは、
前記連番管理手段による通知結果を記憶する第二の情報記憶部を更に備えることを特徴とする請求項３に記載のポイントｔｏマルチポイント光通信システム。
【請求項７】
前記系統設定部は、
２分岐の光スイッチを監視し、不具合状態を検出すると、前記監視制御部の制御に関わらず系統切替えを実行させる切替制御部を更に備えることを特徴とする請求項２に記載のポイントｔｏマルチポイント光通信システム。
【発明の詳細な説明】
【技術分野】
【０００１】
本発明は、局回線終端装置と複数の加入者端末装置とが１つの光ネットワークで接続されるポイントｔｏマルチポイント光通信システムに関する。
【背景技術】
【０００２】
図５は、従来のポイントｔｏマルチポイント光通信システムのシステム構成図である。
図に示すように、従来のポイントｔｏマルチポイント光通信システムでは、ＯＬＴ（Ｏｐｔｉｃａｌ  Ｌｉｎｅ  Ｔｅｒｍｉｎａｌ）設置局に局回線終端装置ＯＬＴＩＦが配設され、この局回線終端装置ＯＬＴＩＦを中心にしてＮ個の加入者収容装置ＯＮＵ（Ｏｐｔｉｃａｌ  Ｎｅｔｗｏｒｋ  Ｕｎｉｔ）が配設される。このＮ個の加入者収容装置ＯＮＵは、現用系の加入者収容装置ＯＮＵと予備系の加入者収容装置ＯＮＵとを一対として１対２分岐の光カプラによって合波され、１つのＯＮＵ設置局が構成される。このＯＮＵ設置局は、１対Ｎ／２分岐の光カプラを介して局回線終端装置ＯＬＴＩＦに接続される。かかるＯＮＵ設置局内部における加入者収容装置ＯＮＵの二重化構造の採用は、システム運用中における回線事故の復旧時間短縮化等を達成するためには不可欠だからである。
【特許文献１】特開２００５−３２８２９４号公報
【発明の開示】
【発明が解決しようとする課題】
【０００３】
従来の技術では、１個の局回線終端装置ＯＬＴＩＦと接続可能なＯＮＵ設置局の最大個数は、局回線終端装置ＯＬＴＩＦの最大光出力により制限される加入者収容装置ＯＮＵの最大接続数の１／２になり伝送効率が低下してしまうという解決すべき課題が残されていた。
【課題を解決するための手段】
【０００４】
本発明は、１対Ｎ分岐光カプラを介して１台のＯＬＴＩＦ（局回線終端装置）とＮ台のＯＮＵ設置局とを通信接続するポイントｔｏマルチポイント光通信システムであって、上記ＯＮＵ設置局は、一対のＯＮＵ（加入者収容装置）と、上記一対のＯＮＵの一方を現用系に、他方を予備系に設定する系統設定部と、上記現用系の稼動状態を監視し、異常状態を検出すると現用系を予備系に、予備系を現用系に切替えて、その切替結果を前記ＯＬＴＩＦへ通知する監視制御部とを備え、上記ＯＬＴＩＦは、上記監視制御部による通知結果に基づいて上記一対のＯＮＵの現用系と通信接続する送受信手段を備えることを主要な特徴とする。
【発明の効果】
【０００５】
本発明によれば、ＯＮＵ設置局は、一対のＯＮＵと、一対のＯＮＵの一方を現用系に、他方を予備系に設定する系統設定部と、現用系の稼動状態を監視し、異常状態を検出すると現用系を予備系に、予備系を現用系に切替える監視制御部を備えるので、局回線終端装置ＯＬＴＩＦと接続可能なＯＮＵ設置局の最大個数を減らすことなく、ＯＮＵ＃１（ａ、ｂ）の二重化構造を採用できるという効果を得る。
【発明を実施するための最良の形態】
【０００６】
以下、本発明の一実施形態を図を用いて詳細に説明する。
図１は、本発明のポイントｔｏマルチポイント光通信システムのシステム構成図である。
図に示すように、本発明のポイントｔｏマルチポイント光通信システム２００は、ＯＬＴ設置局１００内部に配設される局回線終端装置ＯＬＴＩＦ＃１が、１対Ｎ分岐の光カプラ１５０の集約ポートに光ファイバ＃０を介して接続され、光カプラ１５０の分岐ポートとＯＮＵ設置局（＃１〜＃Ｎ）とが、光ファイバ（＃１〜＃Ｎ）を介して接続され、ネットワーク（例えばイーサネット（登録商標））と加入者端末装置（＃１〜＃Ｎ）とが時分割多重方式でデータの送受信を行う光通信システムである。
【０００７】
ＯＬＴ設置局１００は、中継局でありその内部に局回線終端装置ＯＬＴＩＦ（＃１〜＃Ｍ）と、ＯＬＴ監視制御部１１０とを含んでいる。局回線終端装置ＯＬＴＩＦ（＃１〜＃Ｍ）は、ネットワーク及び光ファイバ＃０と接続し、ネットワークから電気信号を受け入れて光信号に変換し、光ファイバ＃０を介して光カプラ１５０へ送出すると共に、光ファイバ＃０を介して光カプラ１５０から光信号を受け入れて電気信号に変換し、ネットワークへ送出する機器である。ＯＬＴ監視制御部１１０は、ＯＬＴ設置局１００内に配設されている複数個のＯＬＴＩＦ（＃１〜＃Ｍ）の稼動状態を監視する部分である。以下に、１例として局回線終端装置ＯＬＴＩＦ＃１を中心にして構成されるシステムに限定して説明する。
【０００８】
光カプラ１５０は、局回線終端装置ＯＬＴＩＦ＃１から光ファイバ＃０を介して光信号を受け入れて、Ｎ本の光ファイバ（＃１〜＃Ｎ）に分岐し、該光ファイバ（＃１〜＃Ｎ）のそれぞれが接続されているＯＮＵ設置局（＃１〜＃Ｎ）へ送出すると共に、光ファイバ（＃１〜＃Ｎ）のそれぞれが接続するＯＮＵ設置局（＃１〜＃Ｎ）から光信号を受け入れて合波し、光ファイバ＃０を介して局回線終端装置ＯＬＴＩＦ（図では＃１）へ送出する光部品である。
【０００９】
ＯＮＵ設置局（＃１〜＃Ｎ）のそれぞれは、１本の光ファイバ（光ファイバ（＃１〜＃Ｎ）の内の１本）を介して光カプラ１５０と接続し、更に、自己を特定する＃１〜＃Ｎに対応する１個の加入者端末装置（＃１〜＃Ｎ）と接続する機器である。
【００１０】
このＯＮＵ設置局（＃１〜＃Ｎ）は、対応する加入者端末装置（＃１〜＃Ｎ）から受け入れた電気信号に所定の送信処理を実行し、光信号に変換し、１本の光ファイバ（光ファイバ（＃１〜＃Ｎ）の内の１本）を介して光カプラ１５０へ送出する。更に、１本の光ファイバ（光ファイバ（＃１〜＃Ｎ）の内の１本）を介して光カプラ１５０から受け入れた光信号を電気信号に変換し、所定の受信処理を実行し、対応する加入者端末装置（＃１〜＃Ｎ）へ送出する。
【００１１】
以上説明した本発明のポイントｔｏマルチポイント光通信システムは、図５に示す従来例とは異なり１対Ｎ分岐光カプラ１５０の分岐ポートのそれぞれに１個のＯＮＵ設置局（＃１〜＃Ｎの何れか）が接続されている。従って、１個の局回線終端装置ＯＬＴＩＦと接続可能なＯＮＵ設置局の最大個数は、局回線終端装置ＯＬＴＩＦの最大光出力により制限されるＯＮＵ（加入者収容装置）の最大接続数と等しくなる。以下にその具体例について詳細に説明する。
【実施例１】
【００１２】
図２は、実施例１のＯＮＵ設置局のブロック図である。
図１に示すＯＮＵ設置局（＃１〜＃Ｎ）は全て同一構成なので、ここでは、ＯＮＵ設置局＃１を例にあげて説明し、他のＯＮＵ設置局（＃２〜＃Ｎ）については説明を省略する。
【００１３】
図に示すように、実施例１のＯＮＵ設置局は、光スイッチ１と、切替部（Ｉ）２と、切替部（Ｏ）３と、ＯＮＵ＃１ａと、ＯＮＵ＃１ｂと、ＳＥＬ（１）と、ＳＥＬ（２）とを含んでいる。
【００１４】
光スイッチ１は、切替部（Ｉ）２によるスイッチ切替に基づいて光カプラ１５０（図１）に接続する光ファイバ＃１と、ＯＮＵ＃１ａ及びＯＮＵ＃１ｂの何れか一方とを接続する光スイッチである。
【００１５】
切替部（Ｉ）２は、後述する監視制御部１２の制御に基づいて光スイッチ１の切替を実行する部分である。切替部（Ｏ）３は、後述する監視制御部１２の制御に基づいてＳＥＬ（１）とＳＥＬ（２）のスイッチ切替を実行し、加入者端末装置＃１（図１）と、ＯＮＵ＃１ａ又はＯＮＵ＃１ｂとを接続する部分である。
【００１６】
ＳＥＬ（１）は、切替部（Ｏ）３のスイッチ切替に基づいて後述するＯＮＵ＃１ａ、又はＯＮＵ＃１ｂからの受信信号を加入者端末装置＃１（図１）へ送出する電気信号スイッチである。ＳＥＬ（２）は、切替部（Ｏ）３のスイッチ切替に基づいて加入者端末装置＃１（図１）からの送信信号を後述するＯＮＵ＃１ａ、又はＯＮＵ＃１ｂへ送出する電気信号スイッチである。
【００１７】
ＯＮＵ＃１ａは、その内部にＷＤＭ４と、Ｏ／Ｅ５と、Ｅ／Ｏ６と、受信処理部７と、送信処理部８と、情報記憶部１０と、ＯＮＵ設定保持部１１と、監視制御部１２とを有し、ＳＥＬ（２）を介して加入者端末装置＃１（図１）から受け入れた電気信号に所定の送信処理を行い、光信号に変換して光スイッチ１へ送出し、光スイッチ１から受け入れた光信号を電気信号に変換し、所定の受信処理を行い、ＳＥＬ（１）を介して加入者端末装置＃１（図１）へ送出する加入者収容装置である。
【００１８】
ＷＤＭ４は、光スイッチ１から受け入れてＯ／Ｅ５へ送出する入力光信号と、Ｅ／Ｏ６から受け入れて光スイッチ１へ送出する出力光信号とを同一ポートから入出力させる波長合分波フィルタである。通常は誘電体多層膜フィルタが用いられる。ここで入力光信号と出力光信号とは光波長が異なる。
【００１９】
Ｏ／Ｅ５は、ＷＤＭ４から光信号を受け入れて電気信号に変換して受信処理部７へ送出する光電変換素子である。通常ＰＩＮダイオードが用いられる。Ｅ／Ｏ６は、送信処理部８から電気信号を受け入れて光信号に変換し、ＷＤＭ４へ送出する光電変換素子である。通常レーザダイオード又はＬＥＤが用いられる。
【００２０】
受信処理部７は、ＯＬＴ設置局１００（図１）から送信された光信号が、Ｏ／Ｅ５によって電気信号に変換されたフレームを受け入れて、自局を宛先とするフレームのみを認識して取得し、所定の受信処理を実行してＳＥＬ（１）へ送出する部分である。自局を宛先とするフレームの認識は、フレームのプリアンブルに含まれているＬＬＩＤ値を受信処理部７が判別することによって実行される。また、このＬＬＩＤ値は、ＯＮＵの登録時にＯＬＴから送信されてくる送受信制御フレームの指示により後述するＯＮＵ設定保持部１１に予め設定されている。
【００２１】
送信処理部８は、ＳＥＬ（２）を介して加入者端末装置＃１（図１）から受け入れた電気信号フレームに所定の送信処理を実行し、自局に割り当てられた送信タイミングを認識し、Ｅ／Ｏ６へ送出する部分である。この送信タイミングは、ＯＮＵの登録時及び所定の時期にＯＬＴから送信されてくる送受信制御フレームの指示に基づいて後述するＯＮＵ設定保持部１１に予め設定され、又は、適宜変更される。
【００２２】
情報記憶部１０は、後述する監視制御部１２の制御に基づいて、ＯＮＵ設置局内部の状態情報を記憶するメモリである。即ち、監視制御部１２の制御に基づいて、ＯＮＵ番号１０ａと、現用／予備種別１０ｂとを記憶し、必要に応じて情報提供するメモリである。ＯＮＵ番号１０ａとしては、ＯＮＵ＃Ｎ（ａ、ｂ）のＮの部分（図ではＯＮＵ番号“１”）が格納される。又、現用／予備種別１０ｂは、現用系として稼動している場合には“０”が、予備系として待機している場合には“１”が、それぞれ監視制御部１２により格納される。通常ロータリースイッチやＤＩＰスイッチなどがＯＮＵ番号、現用／予備種別設定などに使用される。
【００２３】
ＯＮＵ設定保持部１１は、ＯＮＵ＃１ａに設定されている各種設定情報が保持されるメモリである。この各種情報は通常、局回線終端装置ＯＬＴＩＦ＃１が送信する送受信制御フレームを介して設定される。以下に各種設定情報の例の一部を挙げて説明する。
【００２４】
（１）認証情報
ＯＮＵ設置局＃１に接続された加入者端末装置＃１が、登録されたユーザであるか否かの認証に用いられ情報が設定される。例えばユーザＩＤや、パスワードなどがこれに該当する。
（２）暗号化情報
暗号化に必要な暗号鍵などが設定される。
（３）ＯＮＵ内部にあるデータ処理用のキューバッファのサイズが設定される。
キャリアが提供するサービスの種類によって、ＯＮＵの処理能力はＯＬＴから設定される。バッファサイズが大きければ、大きなデータ処理が一括可能なため、パフォーマンスが向上する。
【００２５】
（４）受信処理部７が、自局を宛先とするフレーム認識の識別子となるＬＬＩＤ値や、送信処理部８が、自局に割り当てられた送信タイミングを認識する情報の設定値や変更値などが設定される。
【００２６】
監視制御部１２は、装置内部の稼動状態、即ち、受信光レベル低下及び光送信部故障監視、ループバック制御、電源故障などを監視し、ＯＮＵ＃１ａが現用系として稼動している場合には、その異常状態を検出すると、予備系として待機しているＯＮＵ＃１ｂをＯＮＵ＃１ａに替えて現用系として稼動させる部分である。その内部にスイッチ切替手段１２ａと、同期化手段１２ｂと連番管理手段１２ｃとを備えている。
【００２７】
スイッチ切替手段１２ａは、現用系として稼動しているＯＮＵ＃１ａの異常状態が検出されると、スイッチ切替信号を切替部（Ｉ）２及び切替部（Ｏ）３へ送出し、現用系の信号路をＯＮＵ＃１ａ経由からＯＮＵ＃１ｂ経由へ切替える手段である。
【００２８】
同期化手段１２ｂは、ＯＮＵ設定保持部１１の記憶内容をＯＮＵ設定保持部３１へコピーする手段である。現用系として稼動しているＯＮＵ＃１ａに対して、予備系としてＯＮＵ＃１ｂが設定されたのを検知すると、ＯＮＵ設定保持部１１に記憶されている設定情報の全てをＯＮＵ設定保持部３１へコピーする手段である。
【００２９】
更に、同期化手段１２ｂは、現用系として稼動しているＯＮＵ＃１ａの異常状態が検出され、スイッチ切替信号が切替部（Ｉ）２と切替部（Ｏ）３へ送出され、現用系の信号路が切替ると、ＯＮＵ設定保持部１１に記憶されている設定情報の全てをＯＮＵ設定保持部３１へコピーする手段である。
尚、同期化手段１２ｂは、上記のように、特定された時期に動作しても良いし、あるいはまた、一定時間間隔で自動的に動作するようにしても良い。
【００３０】
連番管理手段１２ｃは、ＯＮＵ＃１ａの稼動状態を管理する手段である。現用系として稼動しているＯＮＵ＃１ａが、予備系に変更されると、情報記憶部１０の現用／予備種別１０ｂを“０”から“１”に変更する手段である。更に、情報記憶部１０の記憶内容が変更になると、送受信制御フレームを生成して局回線終端装置ＯＬＴＩＦ＃１へ送信する手段でもある。
【００３１】
ＯＮＵ＃１ｂは、その内部にＷＤＭ２４と、Ｏ／Ｅ２５と、Ｅ／Ｏ２６と、受信処理部２７と、送信処理部２８と、情報記憶部３０と、ＯＮＵ設定保持部３１と、監視制御部３２とを有し、ＳＥＬ（２）を介して加入者端末装置＃１（図１）から受け入れた電気信号に所定の送信処理を行い、光信号に変換して光スイッチ１へ送出し、光スイッチ１から受け入れた光信号を電気信号に変換し、所定の受信処理を行い、ＳＥＬ（１）を介して加入者端末装置＃１（図１）へ送出する、図では予備系として待機している状態を表している。
【００３２】
ここで、ＷＤＭ２４はＷＤＭ４と、Ｏ／Ｅ２５はＯ／Ｅ５と、Ｅ／Ｏ２６はＥ／Ｏ６と、受信処理部２７は受信処理部７と、送信処理部２８は送信処理部８と、情報記憶部３０は情報記憶部１０と、ＯＮＵ設定保持部３１はＯＮＵ設定保持部１１と、監視制御部３２は監視制御部１２と、それぞれ全く同一の機能を有する部分である。ここでは両者の相互関係についてのみ説明する。
【００３３】
情報記憶部１０のＯＮＵ番号１０ａと情報記憶部３０のＯＮＵ番号３０ａとは同一の情報が記憶される。ここでは双方（＃１ａ及び＃１ｂ）共に１が記憶される。
【００３４】
情報記憶部１０の現用／予備種別１０ｂと情報記憶部３０の現用／予備種別３０ｂとは、一方に０（現用系）が記憶されている場合には他方には１（予備系）が記憶されている。又、一方が０から１に変更された場合には他方は１から０に変更される。
【００３５】
ＯＮＵ設定保持部１１の記憶内容と、ＯＮＵ設定保持部３１との記憶内容は、現用系が変更される毎に、現に現用系として稼動していたＯＮＵ設定保持部１１（又はＯＮＵ設定保持部３１）の記憶内容が、現に予備系として待機していたＯＮＵ設定保持部３１（又はＯＮＵ設定保持部１１）にコピーされる。但し、現用系の変更に関わらず、定期的に現用系の記憶内容を予備系にコピーしても良い。
【００３６】
図３は、本発明のＯＬＴＩＦのブロック図である。
図１に示す局回線終端装置ＯＬＴＩＦ（＃１〜＃Ｍ）は全て同一構成なので、ここでは、局回線終端装置ＯＬＴＩＦ＃１を例にあげて説明し、他の局回線終端装置ＯＬＴＩＦ（＃２〜＃Ｍ）については説明を省略する。
【００３７】
図に示すように、局回線終端装置ＯＬＴＩＦ＃１は、ＷＤＭ５１と、Ｏ／Ｅ５２と、Ｅ／Ｏ５３と、受信処理部５４と、送信処理部５５と、情報記憶部５７と、監視制御部５８とを備える。
【００３８】
ＷＤＭ５１は、光ファイバ＃０から受け入れてＯ／Ｅ５２へ送出する入力光信号と、Ｅ／Ｏ５３から受け入れて光ファイバ＃０へ送出する出力光信号とを同一ポートから入出力させる波長合分波フィルタである。通常は誘電体多層膜フィルタが用いられる。ここで入力光信号と出力光信号とは光波長が異なる。
【００３９】
Ｏ／Ｅ５２は、ＷＤＭ５１から光信号を受け入れて電気信号に変換して受信処理部５４へ送出する光電変換素子である。通常ＰＩＮダイオードが用いられる。Ｅ／０５３は、送信処理部８から電気信号を受け入れて光信号に変換し、ＷＤＭ４へ送出する光電変換素子である。通常レーザダイオード又はＬＥＤが用いられる。
【００４０】
受信処理部５４は、ＯＮＵ設置局＃１（図１）から送信された光信号が、Ｏ／Ｅ５２によって電気信号に変換されたフレームを受け入れて、受信順番に蓄積し、所定の受信処理を実行してネットワークへ送出する部分である。また、ＯＮＵ設置局＃１（図１）から送受信制御フレームを受信すると監視制御部５８へ送出する部分である。
【００４１】
送信処理部５５は、ネットワークから受信した電気信号フレームにフレームの宛先となる所定の識別子を付与し、所定の送信処理を実行してＥ／Ｏ５３、ＷＤＭ５１を介して光ファイバ＃０へ送信する部分である。ここで、識別子は、送信処理部５５が情報記憶部５７のＬＬＩＤ管理テーブル５７ｃに記憶されているＬＬＩＤ値を取得し、フレームのプリアンブルに含ませることによって付与される。
【００４２】
監視制御部５８は、その内部にＯＮＵ管理手段５８ａを有し、装置内部の稼動状態、即ち、受信光レベル低下及び光送信部故障監視、ループバック制御、電源故障などを監視してユーザに通知すると共に、送受信制御フレームを介してＯＮＵ設置局（＃１〜＃Ｎ）（図１）の状態変化を監視する部分である。
【００４３】
ＯＮＵ管理手段５８ａは、自局（図では局回線終端装置ＯＬＴＩＦ＃１）に接続するＯＮＵ設置局（＃１〜＃Ｎ）（図１）に含まれる、現用系と予備系とが対になっているＯＮＵ＃１（ａ、ｂ）〜ＯＮＵ＃Ｎ（ａ、ｂ）の全てについての状態を管理する手段である。
【００４４】
即ち、装置設定時に受信処理部５５を介して加入者端末装置（＃１〜＃Ｎ）からユーザによる設定情報を受け入れたり、又は装置設定後に設定変更情報を受け入れたりして次に説明する情報記憶部５７の内容設定及び内容変更を実行する手段である。同様に、装置設定時に送信処理部５４を介してネットワークに繋がるユーザによる設定情報を受け入れたり、又は装置設定後に設定変更情報を受け入れたりして次に説明する情報記憶部５７の内容設定及び内容変更を実行する手段である。
【００４５】
情報記憶部５７は、その内部にＯＮＵ番号テーブル５７ａと、現用／予備種別テーブル５７ｂと、ＬＬＩＤ管理テーブル５７ｃとを記憶するメモリである。
【００４６】
ＯＮＵ番号テーブル５７ａは、現時点に於いて自局（図では局回線終端装置ＯＬＴＩＦ＃１）に接続するＯＮＵ設置局（＃１〜＃Ｎ）（図１）に含まれる、現用系と予備系とが対になっているＯＮＵ＃１（ａ、ｂ）〜ＯＮＵ＃Ｎ（ａ、ｂ）の全ての番号を記憶するテーブルである。
【００４７】
現用／予備種別テーブル５７ｂは、上記現用系と予備系とが対になっているＯＮＵ＃１（ａ、ｂ）〜ＯＮＵ＃Ｎ（ａ、ｂ）の全てについて、現時点において現用系であるか予備系であるかの情報をＯＮＵ番号テーブル５７ａと関連付けて記憶するテーブルである。ここでは、１例として、所定の領域に、現用系の場合には０が、予備系の場合には１が記憶されている。
【００４８】
ＬＬＩＤ管理テーブルは、ＯＮＵ設置局（＃１〜＃Ｎ（図１））を宛先とするフレームの識別子となるＬＬＩＤ値やその変更値、及び、ＯＮＵ設置局（＃１〜＃Ｎ（図１））に割り当てる送信タイミングを認識する情報の設定値や変更値などをＯＮＵ番号テーブル５７ａと関連付けて記憶するテーブルである。
【００４９】
以上説明した実施例１のポイントｔｏマルチポイントシステムは以下のように動作する。
まず、図２では、光スイッチ１は、ＯＮＵ＃１ａを現用系として選択している。この状態では、情報記憶部１０のＯＮＵ番号１０ａに“１”が、現用／予備種別１０ｂには、“１”が、それぞれ記憶されている。ＯＬＴＩＦ＃１とＯＮＵ＃１ａとの間での送受信制御フレームの送受信によりＯＬＴＩＦ＃１からＯＮＵ＃１ａに対して各種情報が設定され、ＯＮＵ設定保持部１１に記憶される。
【００５０】
各種情報には、上記のように（１）認証情報、（２）暗号化情報、（３）ＯＮＵ内部にあるデータ処理用のキューバッファのサイズ設定、（４）受信処理部７が、自局を宛先とするフレーム認識の識別子となるＬＬＩＤ値や、送信処理部８が、自局に割り当てられた送信タイミングを認識する情報の設定値や変更値などである。
【００５１】
システムの二重化構造が採用される場合には、送受信制御フレームを介してＯＮＵ＃１ｂの情報記憶部３０のＯＮＵ番号３０ａに“１”と、現用／予備種別３０ｂには、“０”が格納される。
【００５２】
このとき、監視制御部１２は、監視制御部３２と接続し、予備系が接続されたことを認識する。また、監視制御部３２の連番管理手段３２ｃは、ＯＮＵ番号３０ａに“１”と、現用／予備種別３０ｂには、“１”が格納されたことをＯＬＴＩＦの受信処理部５４（図３）へ送受信制御フレームを介して通知する。
【００５３】
ＯＬＴＩＦの受信処理部５４（図３）は、該当する送受信制御フレームを受信すると、監視制御部５８（図３）へ送出する。監視制御部５８（図３）は、送受信制御フレームの内容を認識する。ＯＮＵ管理手段５８ａは、該認識した内容で、情報記憶部５７に記憶されている内容を変更する。
【００５４】
監視制御部１２は、予備系が接続されたことを認識すると、ＯＮＵ設定保持部１１の内容をＯＮＵ設定保持部３１にコピーし、ＯＮＵ設定保持部１１とＯＮＵ設定保持部３１との内容を同じ状態（同期化）にする。以上の動作を経て、ＯＮＵ＃１ａとＯＮＵ＃１ｂとは同期する。
【００５５】
かかる状態において、監視制御部１２が現用系のＯＮＵ＃１ａの故障を検出すると、スイッチ切替手段１２ａが切替部（Ｉ）２と切替部（Ｏ）３を介して光スイッチ１、ＳＥＬ（１）、及びＳＥＬ（２）を切替て現用系をＯＮＵ＃１ａからＯＮＵ＃１ｂへ切替る。
【００５６】
このとき、連番管理手段１２ｃは、情報記憶部１０の記憶内容が変更になるので、送受信制御フレームを生成して局回線終端装置ＯＬＴＩＦ＃１へ送信する。ＯＬＴＩＦの受信処理部５４（図３）は、該当する送受信制御フレームを受信すると、監視制御部５８（図３）へ送出する。監視制御部５８（図３）は、送受信制御フレームの内容を認識し、該認識した内容でＯＮＵ管理手段５８ａは、情報記憶部５７に記憶されている内容を変更する。
【００５７】
以後、受信処理部５４（図３）は、ＯＮＵ設置局＃１のＯＮＵ＃１ｂ（図１）から受信するフレームを受け入れて、受信順番に蓄積し、所定の受信処理を実行してネットワーク（例えばイーサネット（登録商標））へ送出する。
【００５８】
また送信処理部５５（図３）は、ネットワークから受信したフレームに宛先となる所定の識別子を付与し、所定の送信処理を実行し、ＯＮＵ設置局＃１のＯＮＵ＃１ｂ（図１）へ送信する。ここで、識別子は、送信処理部５５（図３）が情報記憶部５７のＬＬＩＤ管理テーブル５７ｃ（図３）に記憶されているＬＬＩＤ値を取得し、フレームのプリアンブルに含ませることによって付与される。
【００５９】
その後、ＯＮＵ＃１ｂを現用系とし、ＯＮＵ＃１ａを予備系として動作が継続される。このようにして、本実施例によるポイントｔｏマルチポイント光通信システムは、ＯＮＵ設置局＃１での回線への影響を最小限に抑えることが可能になる。
【００６０】
以上説明したように、本実施例によれば、局回線終端装置ＯＬＴＩＦと接続可能なＯＮＵ設置局の最大個数を減らすことなく、ＯＮＵ＃１（ａ、ｂ）の二重化構造を採用できるという効果を得る。
【実施例２】
【００６１】
図４は、実施例２のＯＮＵ設置局のブロック図である。
図に示すように、実施例２のＯＮＵ設置局は、光スイッチ１と、切替制御部（Ｉ）４２と、切替制御部（Ｏ）４３と、ＯＮＵ＃１ａと、ＯＮＵ＃１ｂと、ＳＥＬ（１）と、ＳＥＬ（２）とを含んでいる。
【００６２】
図に示すように、図２に示す実施例１のＯＮＵ設置局と本実施例のＯＮＵ設置局との相違部分は、実施例１のＯＮＵ設置局における切替部（Ｉ）２と切替部（Ｏ）３とが、本実施例では切替制御部（Ｉ）４２と切替制御部（Ｏ）４３とに、それぞれ置き換えられている。
【００６３】
切替部制御（Ｉ）４２は、光スイッチ１への光のレベル低下等を監視し、その異常状態を検出すると自己の判断に基づいて光スイッチ１の切替を実行し、監視制御部１２及び監視制御部３２へ通知するする部分である。又、実施例１と同様に監視制御部１２の制御に基づいて光スイッチ１の切替を実行する部分でもある。
【００６４】
切替制御部（Ｏ）４３は、ＳＥＬ（１）及びＳＥＬ（２）への入出力信号を監視し、異常状態を検出すると自己の判断に基づいてＳＥＬ（１）及びＳＥＬ（２）の切替えを実行し、監視制御部１２及び監視制御部３２へ通知する部分である。又、実施例１と同様に監視制御部１２の制御に基づいてＳＥＬ（１）及びＳＥＬ（２）の光スイッチ１の切替を実行する部分でもある。その他の部分は、ＯＬＴＩＦを含めて全て実施例１と同様なので説明を省略する。
【００６５】
尚、切替制御部（Ｉ）４２及び切替制御部（Ｏ）４３の何れか一方のみが異常状態を検出すると、その何れか一方から監視制御部１２及び監視制御部３２へ事故発生が通知されるので監視制御部１２及び監視制御部３２からスイッチ切替信号が切替制御部（Ｉ）４２及び切替制御部（Ｏ）４３の双方へ送出され現用系と予備系との切替えが実行されることになる。
【００６６】
以上説明したように、本実施例によれば、実施例１における、自己判断機能を有しない、切替部（Ｉ）２と切替部（Ｏ）３に替えて、本実施例では自己判断機能を有する切替制御部（Ｉ）４２と切替制御部（Ｏ）４３とに、それぞれ置き換えたので、更に信頼性が高く、且つ、現用系事故発生時における迅速切替が可能になるという効果を得る。
【産業上の利用可能性】
【００６７】
実施例の説明では、ＯＬＴ設置局が接続するネットワークをイーサネット（登録商標）に限定して説明したが、本発明はこの例に限定されるものではない。即ち、インターネット網への接続も可能であり、更には、将来インタオペラビリティの確保も可能になってくる。
【図面の簡単な説明】
【００６８】
【図１】本発明のポイントｔｏマルチポイント光通信システムのシステム構成図である。
【図２】実施例１のＯＮＵ設置局のブロック図である。
【図３】本発明のＯＬＴＩＦのブロック図である。
【図４】実施例２のＯＮＵ設置局のブロック図である。
【図５】従来のポイントｔｏマルチポイント光通信システムのシステム構成図である。
【符号の説明】
【００６９】
１    光スイッチ
２    切替部（Ｉ）
３    切替部（Ｏ）
４    ＷＤＭ
５    Ｏ／Ｅ
６    Ｅ／Ｏ
７    受信処理部
８    送信処理部
１０    情報記憶部
１０ａ    ＯＮＵ番号
１０ｂ    現用／予備種別
１１    ＯＮＵ設定保持部
１２    監視制御部
１２ａ    スイッチ切替手段
１２ｂ    同期化手段
１２ｃ    連番管理手段
２４    ＷＤＭ
２５    Ｏ／Ｅ
２６    Ｅ／Ｏ
２７    受信処理部
２８    送信処理部
３０    情報記憶部
３０ａ    ＯＮＵ番号
３０ｂ    現用／予備種別
３１    ＯＮＵ設定保守部
３２    監視制御部
３２ａ    スイッチ切替手段
３２ｂ    同期化手段
３２ｃ    連番管理手段
【図１】
2009081662.tif 000003
【図２】
2009081662.tif 000004
【図３】
2009081662.tif 000005
【図４】
2009081662.tif 000006
【図５】
2009081662.tif 000007